(57)【要約】【課題】設備に設置した複数の負荷を複数のグループに分けて、各グループの負荷に三相交流電源の異なる相の電力を分配する。【解決手段】トンネル１００側の分岐ケーブル５と照明装置２００側の接続ケーブル９との接続に、電源側コネクタ１１及び負荷側コネクタ１３を用いる。各コネクタ１１，１３の端子保持部１１ｄ，１３ｄの中心位置に接地用端子１１ｅ，１３ｅをそれぞれ配置し、これを仮想中心とする円周上の回転対称位置に３つの電源側端子１１ｒ，１１ｓ，１１ｔ及び２つの負荷側端子１３ｆ，１３ｇをそれぞれ配置する。負荷側コネクタ１３の端子保持部１３ｄを回転可能とし、３つの電源側端子１１ｒ，１１ｓ，１１ｔのうち負荷側端子１３ｆ，１３ｇに接続される２つの端子を、端子保持部１３ｄの回転角度位置の変更により変える。【選択図】図３
2020064774.tif 000002
【特許請求の範囲】
【請求項１】
相手側コネクタが嵌合される円筒体に、前記相手側コネクタの回転位置決め部材がキー嵌合されるキー又はキー溝を、前記円筒体の中心軸方向に沿って有する嵌合ガイド部と、
前記嵌合ガイド部の内部に配置されて該嵌合ガイド部により前記円筒体の周方向に回転可能に支持された端子保持部と、
前記端子保持部に保持され、少なくとも、前記円筒体の開口部に露出する前記端子保持部の先端面の、前記嵌合ガイド部に対する前記端子保持部の回転中心位置を中心とする仮想の正円の円周上の複数の回転対称位置に、先端がそれぞれ配置された複数の端子と、
を備えるコネクタ。
【請求項２】
前記嵌合ガイド部は、前記端子保持部を露出させる露出窓を有しており、前記嵌合ガイド部の前記露出窓の周縁部及び前記端子保持部の前記露出窓に露出する部分に跨がって、前記嵌合ガイド部に対する前記端子保持部の回転角度位置を示す表示部が設けられている請求項１記載のコネクタ。
【請求項３】
前記複数の端子は、三相交流の各相のうち１つの相を除いた２つの相にそれぞれ対応する２つの負荷側端子及び接地用端子を含んでおり、該接地用端子の先端が前記先端面上の前記嵌合ガイド部に対する前記端子保持部の回転中心位置に配置され、前記２つの負荷側端子の先端が前記先端面上の前記回転中心位置を中心とする仮想の正円の円周上に１２０゜位相をずらして配置されていて、前記相手側コネクタとしての電源側コネクタが嵌合される負荷側コネクタとして使用される請求項１又は２記載のコネクタ。
【請求項４】
前記複数の端子は、三相交流の各相にそれぞれ対応する３つの電源側端子及び接地用端子を含んでおり、該接地用端子の先端が前記先端面上の前記嵌合ガイド部に対する前記端子保持部の回転中心位置に配置され、前記３つの電源側端子の先端が前記先端面上の前記回転中心位置を中心とする仮想の正円の円周上に１２０゜ずつ位相をずらして配置されていて、前記相手側コネクタとしての負荷側コネクタが嵌合される電源側コネクタとして使用される請求項１又は２記載のコネクタ。
【請求項５】
負荷側コネクタとして使用される請求項３記載のコネクタと、
前記負荷側コネクタに電源側コネクタとして嵌合される相手側コネクタとを備え、
前記電源側コネクタは、
前記負荷側コネクタの嵌合ガイド部が嵌合される円筒体の開口部に、前記負荷側コネクタのキー又はキー溝がキー嵌合される回転位置決め部材を有する嵌合ガイド部と、
前記電源側コネクタの嵌合ガイド部の内部に配置された端子保持部と、
前記端子保持部に保持され、前記円筒体の開口部に露出する前記端子保持部の先端面上の中心位置及び該中心位置に対する複数の回転対称位置に先端がそれぞれ配置された複数の端子と、
を備えており、
前記電源側コネクタの前記複数の端子は、三相交流の各相にそれぞれ対応する３つの電源側端子及び接地用端子を含んでおり、該接地用端子の先端が前記先端面上の前記中心位置に配置され、前記３つの電源側端子の先端が前記先端面上の前記中心位置を中心とする仮想の正円の円周上に１２０゜ずつ位相をずらして配置されていて、前記負荷側コネクタの嵌合時に該負荷側コネクタの接地用端子及び２つの負荷側端子が、前記負荷側コネクタの接地用端子及び３つの電源側端子のうち２つの電源側端子とそれぞれ接続される、
コネクタユニット。
【請求項６】
電源側コネクタとして使用される請求項４記載のコネクタと、
前記電源側コネクタに負荷側コネクタとして嵌合される相手側コネクタとを備え、
前記負荷側コネクタは、
前記電源側コネクタの嵌合ガイド部が嵌合される円筒体の開口部に、前記電源側コネクタのキー又はキー溝がキー嵌合される回転位置決め部材を有する嵌合ガイド部と、
前記負荷側コネクタの嵌合ガイド部の内部に配置された端子保持部と、
前記端子保持部に保持され、前記円筒体の開口部に露出する前記端子保持部の先端面上の中心位置及び該中心位置に対する複数の回転対称位置に先端がそれぞれ配置された複数の端子と、
を備えており、
前記負荷側コネクタの前記複数の端子は、三相交流の各相のうち１つの相を除いた２つの相にそれぞれ対応する２つの負荷側端子及び接地用端子を含んでおり、該接地用端子の先端が前記先端面上の前記中心位置に配置され、前記２つの負荷側端子の先端が前記先端面上の前記中心位置を中心とする仮想の正円の円周上に１２０゜位相をずらして配置されていて、前記電源側コネクタの嵌合時に該電源側コネクタの接地用端子及び３つの電源側端子のうち２つの電源側端子が、前記負荷側コネクタの接地用端子及び２つの負荷側端子とそれぞれ接続される、
コネクタユニット。
【請求項７】
前記相手側コネクタの嵌合状態において該相手側コネクタと請求項３又は４記載のコネクタの前記端子保持部とが当接する箇所と、請求項３又は４記載のコネクタの前記嵌合ガイド部の前記端子保持部を回転可能に支持する部分とに、シール部材が配置されている請求項５又は６記載のコネクタユニット。
【請求項８】
設備に延設されて三相交流電源の各相の電力を送電する送電ケーブルと、
前記設備に設置される複数の負荷にそれぞれ接続され、三相交流電源の各相の電力のうち前記負荷に供給する２つの相の電力に対応する２つの給電線を有する複数の接続ケーブルと、
前記送電ケーブルと前記各接続ケーブルとの接続部にそれぞれ設けられた電源側コネクタ及び負荷側コネクタとを備え、
前記電源側コネクタ及び負荷側コネクタとして、請求項５、６又は７記載のコネクタユニットの電源側コネクタ及び負荷側コネクタを用いた、
電源ケーブルユニット。
【発明の詳細な説明】
【技術分野】
【０００１】
本発明は、三相交流電源の電力を電源ケーブルにより複数の負荷に分配する技術に関する。
【背景技術】
【０００２】
例えば、トンネルに設置されて外部の三相交流電源から供給される電力で点灯する照明装置が知られている（例えば、特許文献１）。
【先行技術文献】
【特許文献】
【０００３】
【特許文献１】特開２０１２−１８５９０５号公報
【発明の概要】
【発明が解決しようとする課題】
【０００４】
ところで、トンネルには、トンネルの長さに応じた数の照明装置が設置される。各照明装置には、トンネル内に敷設した電源ケーブルにより、外部の電源から供給された電力が分配される。電源ケーブルは、トンネルに沿って延設される幹線ケーブルと、幹線ケーブルから分岐されて各照明装置にそれぞれ接続される複数の接続ケーブルとを含んで構成される。
【０００５】
そこで、トンネル内の複数の照明装置に三相交流電源からの電力を分配する場合は、それらの照明装置を複数のグループに分け、接続ケーブルを介して各グループの照明装置に異なる相の電力を分配することが考えられる。各照明装置に分配する電力の相をグループ毎に異ならせれば、特定の相の電力が偏って照明装置に供給されるのを防ぎ、各相の電力を複数の照明装置に均等に消費させることができる。
【０００６】
但し、その場合は、接続相手の照明装置に供給しない電力の相に対応する電線を間引いて接続ケーブルを構成する必要がある。接続する照明装置のグループ毎に接続ケーブルの間引く電線の相が異なる電源ケーブルは、設計や製造に手間がかかり、製造後の通電試験も面倒になる。
【０００７】
しかも、照明装置側に仕様変更が生じると、変更後の仕様に合わせた相の電力を照明装置に供給するために、仕様が変わった照明装置に接続する接続ケーブルを含む電源ケーブルの全体をまるごと新しい仕様に合わせたものに交換する必要がある。
【０００８】
あるいは、電源ケーブルの全体を交換する代わりに、幹線ケーブルの分岐箇所を分解して、仕様が変わった照明装置に接続する接続ケーブルを新しい仕様の接続ケーブルに交換する必要が生じる。
【０００９】
照明装置の仕様変更に伴うケーブルの交換は、照明装置の設置工事中及び設置工事後のどちらにおいても必要となることがある。
【００１０】
本発明は前記事情に鑑みなされたもので、本発明の目的は、トンネル等の設備に複数設置した照明装置等の負荷を複数のグループに分けて、各グループの負荷に三相交流電源の異なる相の電力を分配する際に利用できる、設計や製造が容易で負荷の仕様変更にも簡便な作業で対応できるコネクタと、このコネクタを用いて好適なコネクタユニット並びに電源ケーブルユニットとを提供することにある。
【課題を解決するための手段】
【００１１】
上記目的を達成するため本発明の第１の態様によるコネクタは、
相手側コネクタが嵌合される円筒体に、前記相手側コネクタの回転位置決め部材がキー嵌合されるキー又はキー溝を、前記円筒体の中心軸方向に沿って有する嵌合ガイド部と、
前記嵌合ガイド部の内部に配置されて該嵌合ガイド部により前記円筒体の周方向に回転可能に支持された端子保持部と、
前記端子保持部に保持され、少なくとも、前記円筒体の開口部に露出する前記端子保持部の先端面の、前記嵌合ガイド部に対する前記端子保持部の回転中心位置を中心とする仮想の正円の円周上の複数の回転対称位置に、先端がそれぞれ配置された複数の端子と、
を備える。
【００１２】
本発明の第１の態様によるコネクタによれば、嵌合ガイド部に対する端子保持部の姿勢を回転方向に変えると、端子保持部の先端面の回転対称位置に先端が配置された端子の、嵌合ガイド部のキー又はキー溝に対する相対位置が、端子保持部の回転方向に変化する。
【００１３】
このため、相手側コネクタが嵌合されて相手側コネクタの回転位置決め部材がキー又はキー溝にキー嵌合されたときに、相手側コネクタの端子と接続される端子保持部の端子の内訳が、嵌合ガイド部に対する端子保持部の回転方向における姿勢によって変わる。
【００１４】
そこで、設備に設置した複数の負荷を複数のグループに分けて、各グループ毎に三相交流電源の異なる相の電力を負荷に分配するために、三相交流電源側の電源ケーブルと負荷側の電源ケーブルとをコネクタ接続する際に、請求項１記載のコネクタを使用する。なお、相手側コネクタにも同時に請求項１記載のコネクタを使用してもよい。
【００１５】
即ち、三相交流電源側の電源ケーブルに接続する電源側コネクタと、負荷側の電源ケーブルに接続する負荷側コネクタとのうち、少なくとも一方のコネクタに、請求項１記載のコネクタを使用することができる。
【００１６】
そして、電源側コネクタと負荷側コネクタとのうち請求項１記載のコネクタを使用するコネクタの端子保持部を、嵌合ガイド部に対して適切な位置に回転させて、キー又はキー溝に回転位置決め部材をキー嵌合させつつ、相手側コネクタを嵌合させる。
【００１７】
ここで、電源側コネクタには、三相交流電源側の電源ケーブルに対応して、三相交流の各相に対応する３つの端子が設けられる。一方、負荷側コネクタには、負荷側の電源ケーブルに対応して、三相交流の３つの相のうち負荷に分配する２つの相に対応する２つの端子が設けられる。
【００１８】
また、電源側コネクタの各相に対応する３つの端子は、負荷側コネクタとの嵌合状態において嵌合ガイド部に対する端子保持部の回転軸上の位置を中心とする仮想の正円の円周上の３回対称の回転対称位置にそれぞれ配置される。
【００１９】
一方、負荷側コネクタの２つの相に対応する２つの端子は、負荷側コネクタとの嵌合状態において嵌合ガイド部に対する端子保持部の回転軸上の位置を中心とする仮想の正円の円周上の３回対称の回転対称位置のうちの２箇所にそれぞれ配置される。
【００２０】
なお、電源側コネクタの端子と負荷側コネクタの端子とは、同一半径の仮想の正円の円周上にそれぞれ配置される。
【００２１】
したがって、電源側コネクタと負荷側コネクタとを嵌合すると、負荷側コネクタの２つの相に対応する２つの端子が、電源側コネクタの３つの端子のうち、請求項１記載のコネクタの嵌合ガイド部に対する端子保持部の回転角度に応じた２つの端子に接続される。
【００２２】
このため、三相交流電源の３つの相のうち、嵌合ガイド部に対する端子保持部の回転角度に応じた２つの相の端子が、相手側コネクタとの間で接続されて、三相交流電源側の電源ケーブルから負荷側の電源ケーブルに分配される。
【００２３】
なお、例えば負荷の仕様が変わって負荷に供給する電力の相が変わる場合は、電源側コネクタと負荷側コネクタとのうち請求項１記載のコネクタを使用するコネクタの端子保持部を、変わった負荷の仕様に応じた回転角度に回転させる。これにより、電源側コネクタ及び負荷側コネクタを介して三相交流電源側の電源ケーブルから負荷側の電源ケーブルに供給される電力の相が、変わった後の負荷の仕様に応じた相に変わる。
【００２４】
したがって、設備に設置した複数の負荷を複数のグループに分けて、各グループの負荷に三相交流電源の異なる相の電力を分配する際に、供給する電力の相によって構造が異なるコネクタを接続した電源ケーブルを負荷のグループ毎に準備する必要がない。
【００２５】
よって、設計や製造が容易で負荷の仕様変更にも簡便な作業で対応できるコネクタを構成することができる。
【００２６】
また、本発明の第２の態様によるコネクタは、本発明の第１の態様によるコネクタにおいて、前記嵌合ガイド部は、前記端子保持部を露出させる露出窓を有しており、前記嵌合ガイド部の前記露出窓の周縁部及び前記端子保持部の前記露出窓に露出する部分に跨がって、前記嵌合ガイド部に対する前記端子保持部の回転角度位置を示す表示部が設けられている。
【００２７】
本発明の第２の態様によるコネクタによれば、本発明の第１の態様によるコネクタにおいて、コネクタの外側から視認可能な嵌合ガイド部の露出窓の表示部に、嵌合ガイド部に対する端子保持部の回転角度位置が表示される。
【００２８】
このため、嵌合ガイド部に対する端子保持部の回転角度を変える際に、表示部に表示される回転角度位置を目安に、端子保持部を嵌合ガイド部に対して適切な回転角度位置に回転させることができる。
【００２９】
ちなみに、本発明の第３の態様によるコネクタのように、前記複数の端子は、三相交流の各相のうち１つの相を除いた２つの相にそれぞれ対応する２つの負荷側端子及び接地用端子を含んでおり、該接地用端子の先端が前記先端面上の前記嵌合ガイド部に対する前記端子保持部の回転中心位置に配置され、前記２つの負荷側端子の先端が前記先端面上の前記回転中心位置を中心とする仮想の正円の円周上に１２０゜位相をずらして配置されていることで、本発明の第１又は第２の態様によるコネクタは、前記相手側コネクタとしての電源側コネクタが嵌合される負荷側コネクタとして使用される。
【００３０】
また、本発明の第４の態様によるコネクタのように、前記複数の端子は、三相交流の各相にそれぞれ対応する３つの電源側端子及び接地用端子を含んでおり、該接地用端子の先端が前記先端面上の前記嵌合ガイド部に対する前記端子保持部の回転中心位置に配置され、前記３つの電源側端子の先端が前記先端面上の前記回転中心位置を中心とする仮想の正円の円周上に１２０゜ずつ位相をずらして配置されていることで、本発明の第１又は第２の態様によるコネクタは、前記相手側コネクタとしての負荷側コネクタが嵌合される電源側コネクタとして使用される。
【００３１】
さらに、上記目的を達成するため本発明の第５の態様によるコネクタユニットは、
負荷側コネクタとして使用される本発明の第３の態様によるコネクタと、
前記負荷側コネクタに電源側コネクタとして嵌合される相手側コネクタとを備え、
前記電源側コネクタは、
前記負荷側コネクタの嵌合ガイド部が嵌合される円筒体の開口部に、前記負荷側コネクタのキー又はキー溝がキー嵌合される回転位置決め部材を有する嵌合ガイド部と、
前記電源側コネクタの嵌合ガイド部の内部に配置された端子保持部と、
前記端子保持部に保持され、前記円筒体の開口部に露出する前記端子保持部の先端面上の中心位置及び該中心位置に対する複数の回転対称位置に先端がそれぞれ配置された複数の端子と、
を備えており、
前記電源側コネクタの前記複数の端子は、三相交流の各相にそれぞれ対応する３つの電源側端子及び接地用端子を含んでおり、該接地用端子の先端が前記先端面上の前記中心位置に配置され、前記３つの電源側端子の先端が前記先端面上の前記中心位置を中心とする仮想の正円の円周上に１２０゜ずつ位相をずらして配置されていて、前記負荷側コネクタの嵌合時に該負荷側コネクタの接地用端子及び２つの負荷側端子が、前記負荷側コネクタの接地用端子及び３つの電源側端子のうち２つの電源側端子とそれぞれ接続される。
【００３２】
本発明の第５の態様によるコネクタユニットによれば、負荷側コネクタの嵌合ガイド部に対する端子保持部の回転角度を変えると、電源側コネクタの３つ電源側端子のうち、電源側コネクタを嵌合した際に２つの負荷側端子に接続される２つの端子の内訳が変わる。
【００３３】
そこで、設備に設置した複数の負荷を複数のグループに分けて、各グループ毎に三相交流電源の異なる相の電力を負荷に分配する際には、三相交流電源側の電源ケーブルに電源側コネクタを接続し、負荷側の電源ケーブルに負荷側コネクタを接続する。そして、負荷側コネクタの嵌合ガイド部に対する端子保持部の回転角度を、負荷に分配する電力の相に応じた角度にした状態で、電源側コネクタを負荷側コネクタに嵌合する。
【００３４】
このとき、電源側コネクタを接続する三相交流電源側の電源ケーブルは、電源側コネクタの３つの電源側端子と接地用端子とに対応して、３つの相の電力の全てに対応する電線と接地線とを有するケーブルで構成することができる。
【００３５】
一方、負荷側コネクタを接続する負荷側の電源ケーブルは、負荷側コネクタの２つの負荷側端子と接地用端子とに対応して、負荷に供給する２つの相の電力のみに対応する電線と接地線とを有するケーブルで構成することができる。
【００３６】
そして、嵌合した電源側コネクタと負荷側コネクタとの間では、負荷側コネクタの２つの負荷側端子に、電源側コネクタの３つ電源側端子のうち負荷側コネクタの嵌合ガイド部に対する端子保持部の回転角度に対応する接続対象の２つの電源側端子が接続される。
【００３７】
このため、三相交流電源の３つの相のうち、負荷側コネクタの２つの負荷側端子に接触する電源側コネクタの接続対象の２つの電源側端子に対応する２つの相の電力が、両コネクタを介して三相交流電源側の電源ケーブルから負荷側の電源ケーブルに分配される。
【００３８】
なお、例えば負荷の仕様が変わって負荷に供給する電力の相が変わる場合は、負荷側コネクタの嵌合ガイド部に対して端子保持部を、仕様が変わった負荷に応じた回転角度に回転させて、負荷側コネクタを電源側コネクタに嵌合させる。これにより、電源側コネクタ及び負荷側コネクタを介して三相交流電源側の電源ケーブルから負荷側の電源ケーブルに供給される電力の相が、変わった後の負荷の仕様に応じた相に変わる。
【００３９】
したがって、設備に設置した複数の負荷を複数のグループに分けて、各グループの負荷に三相交流電源の異なる相の電力を分配する際に、設計や製造が容易で負荷の交換による仕様変更にも簡便な作業で対応できるコネクタユニット構成することができる。
【００４０】
また、上記目的を達成するため本発明の第６の態様によるコネクタユニットは、
電源側コネクタとして使用される本発明の第４の態様によるコネクタと、
前記電源側コネクタに負荷側コネクタとして嵌合される相手側コネクタとを備え、
前記負荷側コネクタは、
前記電源側コネクタの嵌合ガイド部が嵌合される円筒体の開口部に、前記電源側コネクタのキー又はキー溝がキー嵌合される回転位置決め部材を有する嵌合ガイド部と、
前記負荷側コネクタの嵌合ガイド部の内部に配置された端子保持部と、
前記端子保持部に保持され、前記円筒体の開口部に露出する前記端子保持部の先端面上の中心位置及び該中心位置に対する複数の回転対称位置に先端がそれぞれ配置された複数の端子と、
を備えており、
前記負荷側コネクタの前記複数の端子は、三相交流の各相のうち１つの相を除いた２つの相にそれぞれ対応する２つの負荷側端子及び接地用端子を含んでおり、該接地用端子の先端が前記先端面上の前記中心位置に配置され、前記２つの負荷側端子の先端が前記先端面上の前記中心位置を中心とする仮想の正円の円周上に１２０゜位相をずらして配置されていて、前記電源側コネクタの嵌合時に該電源側コネクタの接地用端子及び３つの電源側端子のうち２つの電源側端子が、前記負荷側コネクタの接地用端子及び２つの負荷側端子とそれぞれ接続される。
【００４１】
本発明の第６の態様によるコネクタユニットによれば、電源側コネクタの嵌合ガイド部に対する端子保持部の回転角度を変えると、電源側コネクタの３つ電源側端子のうち、負荷側コネクタを嵌合した際に２つの負荷側端子が接続される２つの端子の内訳が変わる。
【００４２】
そこで、設備に設置した複数の負荷を複数のグループに分けて、各グループ毎に三相交流電源の異なる相の電力を負荷に分配する際には、三相交流電源側の電源ケーブルに電源側コネクタを接続し、負荷側の電源ケーブルに負荷側コネクタを接続する。そして、電源側コネクタの嵌合ガイド部に対する端子保持部の回転角度を、負荷に分配する電力の相に応じた角度にした状態で、負荷側コネクタを電源側コネクタに嵌合する。
【００４３】
このとき、電源側コネクタを接続する三相交流電源側の電源ケーブルは、電源側コネクタの３つの電源側端子と接地用端子とに対応して、３つの相の電力の全てに対応する電線と接地線とを有するケーブルで構成することができる。
【００４４】
一方、負荷側コネクタを接続する負荷側の電源ケーブルは、負荷側コネクタの２つの負荷側端子と接地用端子とに対応して、負荷に供給する２つの相の電力のみに対応する電線と接地線とを有するケーブルで構成することができる。
【００４５】
そして、嵌合した電源側コネクタと負荷側コネクタとの間では、負荷側コネクタの２つの負荷側端子が、電源側コネクタの３つ電源側端子のうち電源側コネクタの嵌合ガイド部に対する端子保持部の回転角度に対応する接続対象の２つの電源側端子に接続される。
【００４６】
このため、三相交流電源の３つの相のうち、負荷側コネクタの２つの負荷側端子が接触する電源側コネクタの接続対象の２つの電源側端子に対応する２つの相の電力が、両コネクタを介して三相交流電源側の電源ケーブルから負荷側の電源ケーブルに分配される。
【００４７】
なお、例えば負荷の仕様が変わって負荷に供給する電力の相が変わる場合は、電源側コネクタの嵌合ガイド部に対して端子保持部を、仕様が変わった負荷に応じた回転角度に回転させて、負荷側コネクタを電源側コネクタに嵌合させる。これにより、電源側コネクタ及び負荷側コネクタを介して三相交流電源側の電源ケーブルから負荷側の電源ケーブルに供給される電力の相が、変わった後の負荷の仕様に応じた相に変わる。
【００４８】
したがって、設備に設置した複数の負荷を複数のグループに分けて、各グループの負荷に三相交流電源の異なる相の電力を分配する際に、設計や製造が容易で負荷の交換による仕様変更にも簡便な作業で対応できるコネクタユニット構成することができる。
【００４９】
さらに、本発明の第７の態様によるコネクタユニットは、本発明の第５又は第６の態様によるコネクタユニットにおいて、前記相手側コネクタの嵌合状態において該相手側コネクタと本発明の第３又は第４の態様によるコネクタの前記端子保持部の先端面とが当接する箇所と、本発明の第３又は第４の態様によるコネクタの前記嵌合ガイド部の前記端子保持部を回転可能に支持する部分とに、シール部材が配置されている。
【００５０】
本発明の第７の態様によるコネクタユニットによれば、本発明の第５又は第６の態様によるコネクタユニットにおいて、電源側コネクタと負荷側コネクタとが嵌合したときに両コネクタの端子同士が接続される空間に連通する隙間が生じる箇所に、シール部材が配置されることになる。
【００５１】
したがって、電源側コネクタと負荷側コネクタとが嵌合したコネクタユニットの水密性及び気密性を高め、水分や塵埃等の進入により両コネクタの端子間に接続不良が生じるのを抑制することができる。
【００５２】
また、上記目的を達成するため本発明の第８の態様による電源ケーブルユニットは、
設備に延設されて三相交流電源の各相の電力を送電する送電ケーブルと、
前記設備に設置される複数の負荷にそれぞれ接続され、三相交流電源の各相の電力のうち前記負荷に供給する２つの相の電力に対応する２つの給電線を有する複数の接続ケーブルと、
前記送電ケーブルと前記各接続ケーブルとの接続部にそれぞれ設けられた電源側コネクタ及び負荷側コネクタとを備え、
前記電源側コネクタ及び負荷側コネクタとして、本発明の第５、第６又は第７の態様によるコネクタユニットの電源側コネクタ及び負荷側コネクタを用いた。
【００５３】
本発明の第８の態様による電源ケーブルユニットによれば、幹線ケーブルから分岐された各分岐ケーブルの電源側コネクタと各接続ケーブルの負荷側コネクタとを嵌合して、各負荷を三相交流電源に接続することで、本発明の第５、第６又は第７の態様によるコネクタユニットによって得られる効果を得ることができる。
【発明の効果】
【００５４】
本発明によれば、設備に複数設置した負荷を複数のグループに分けて、各グループの負荷に三相交流電源の異なる相の電力を分配する際に、設計や製造が容易で負荷の交換による仕様変更にも簡便な作業で対応できるコネクタを用いて、各負荷に三相交流電源の電力を分配することができる。
【図面の簡単な説明】
【００５５】
【図１】本発明の一実施形態に係り三相交流電源の各相の電力を複数の負荷に分配する電源ケーブルユニットの概略構成を示す説明図である。
【図２】図１の電源ケーブルユニットの幹線ケーブル及び分岐ケーブルの内部構造と電源側コネクタ及び負荷側コネクタの内部構造とを示す説明図である。
【図３】図１の電源ケーブルユニットの電源側コネクタ及び負荷側コネクタの接続関係と接続ケーブルの内部構造とを示す説明図である。
【図４】図１のコネクタユニットの負荷側コネクタの嵌合面が見える方向からの斜視図である。
【図５】（ａ）は図４の電源側コネクタの端子保持部に保持される電源側端子の斜視図、（ｂ）は（ａ）の端子スリーブの端子保持部に対する挿入状態を示す要部拡大断面図である。
【図６】（ａ）は図４の負荷側コネクタの端子保持部に保持される電源側端子の斜視図、（ｂ）は（ａ）の端子ピンの端子保持部に対する挿入状態を示す要部拡大断面図である。
【図７】（ａ）は図４の負荷側コネクタの嵌合ガイド部の中心軸に沿った断面図、（ｂ）は図４の負荷側コネクタの嵌合ガイド部の背面図である。
【図８】本発明の他の実施形態に係る電源ケーブルユニットで使用するコネクタユニットの負荷側コネクタの嵌合面が見える方向からの斜視図である。
【図９】図８の電源側コネクタ及び負荷側コネクタの非嵌合状態における一部矢視状態の断面図である。
【図１０】図８の電源側コネクタ及び負荷側コネクタの嵌合状態における一部矢視状態の断面図である。
【発明を実施するための形態】
【００５６】
以下、本発明の一実施形態について、図面を参照して説明する。各図面を通じて同一もしくは同等の部位や構成要素には、同一もしくは同等の符号を付している。
【００５７】
以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００５８】
図１は本発明の一実施形態に係り三相交流電源の各相の電力を複数の負荷に分配する電源ケーブルユニットの概略構成を示す説明図である。図１に示す本実施形態の電源ケーブルユニット１は、三相交流電源の各相の電力をトンネル１００（請求項中の設備に相当）内の照明装置２００（請求項中の負荷に相当）に送電するものである。
【００５９】
照明装置２００は、図１中では、図面の見やすさのため１つしか図示していないが、トンネル１００には、トンネル１００の長さに応じて複数の照明装置２００が間隔をおいて設置されている。
【００６０】
各照明装置２００は、例えば高圧ナトリウム灯、蛍光灯、メタルハライド灯、セラミックメタルハライド灯、低圧ナトリウム灯、蛍光水銀灯、発光ダイオード（ＬＥＤ）等の光源や、電源回路を含む光源の駆動回路等をそれぞれ有している。
【００６１】
各照明装置２００は３つのグループに分けられており、各グループの照明装置２００には、三相交流電源からの電力が、ＲＳ相、ＳＴ相及びＴＲ相の３つに分けてそれぞれ供給される。
【００６２】
電源ケーブルユニット１は、トンネル１００内に敷設された幹線ケーブル３と、幹線ケーブル３の分岐部７から分岐された分岐ケーブル５と、分岐ケーブル５に接続される接続ケーブル９とを有している。本実施形態では、幹線ケーブル３と分岐ケーブル５とで、請求項中の送電ケーブルが構成されている。
【００６３】
幹線ケーブル３の分岐部７は、図１中では、図面の見やすさのため１つしか図示していないが、幹線ケーブル３には、トンネル１００の長さに応じて複数の分岐部７が間隔をおいて設けられている。そして、電源ケーブルユニット１は、各分岐部７において幹線ケーブル３からそれぞれ分岐された複数の分岐ケーブル５と、各分岐ケーブル５にそれぞれ接続される複数の接続ケーブル９とを有している。
【００６４】
幹線ケーブル３は、トンネル１００の外から三相交流電源の電力をトンネル１００内に引き込む電源ケーブルである。幹線ケーブル３は、４本の絶縁電線をシース（絶縁被覆）で覆ったケーブルで構成されている。４本の絶縁電線の内訳は、図２の説明図に示すように、３本の給電線３ｒ，３ｓ，３ｔと１本の接地線３ｅである。３本の給電線３ｒ，３ｓ，３ｔは、三相交流電源のＲＳＴの各相に対応している。
【００６５】
図１に示す各分岐ケーブル５は、トンネル１００内に引き込んだ三相交流電源の電力を各照明装置２００に分配する電源ケーブルである。各分岐ケーブル５は、４本の絶縁電線をシースで覆ったケーブルで構成されている。４本の絶縁電線の内訳は、図２に示すように、３本の給電線５ｒ，５ｓ，５ｔと１本の接地線５ｅである。３本の給電線５ｒ，５ｓ，５ｔは、三相交流電源のＲＳＴの各相に対応している。
【００６６】
図１に示す各分岐部７は、幹線ケーブル３の途中にそれぞれ設けられている。各分岐部７は絶縁モールドでそれぞれ覆われている。各絶縁モールド内では、幹線ケーブル３に各分岐ケーブル５の一端が結線されている。
【００６７】
具体的には、図２に示すように、幹線ケーブル３のシース及び絶縁被覆を剥がして露出させた給電線３ｒ，３ｓ，３ｔ及び接地線３ｅの芯線と、各分岐ケーブル５のシース及び絶縁被覆を剥がして露出させた給電線５ｒ，５ｓ，５ｔ及び接地線５ｅの芯線とが、絶縁モールド内で結線されている。
【００６８】
図１に示す各接続ケーブル９は、幹線ケーブル３から各分岐ケーブル５に分配した三相交流電源の電力を各グループの照明装置２００に送電する電源ケーブルである。各接続ケーブル９は、３本の絶縁電線をシースで覆ったケーブルで構成されている。３本の絶縁電線の内訳は、図２に示すように、２本の給電線９ａ，９ｂと１本の接地線９ｅである。２本の給電線９ａ，９ｂは、各グループの照明装置２００に対応する三相交流電源の２相（ＲＳ相、ＳＴ相及びＴＲ相）の電力を供給する。
【００６９】
そして、各接続ケーブル９の一端は、３つのグループに分けた各グループの複数の照明装置２００の駆動回路にそれぞれ接続されている。
【００７０】
各分岐ケーブル５の他端と各接続ケーブル９の他端との接続には、本発明の一実施形態に係るコネクタユニット１０が用いられる。
【００７１】
本実施形態のコネクタユニット１０は、各分岐ケーブル５の他端にそれぞれ接続される電源側コネクタ１１（請求項中の相手側コネクタに相当）と、各接続ケーブル９の他端にそれぞれ接続される負荷側コネクタ１３（請求項中のコネクタに相当）とを有している。
【００７２】
図３に模式的に示すように、コネクタユニット１０の各電源側コネクタ１１は、負荷側コネクタ１３との嵌合面に、ＲＳＴの各相に対応する電源用の３つの端子（Ｒ，Ｓ，Ｔ）と接地用の１つの端子（Ｅ）とを有している。
【００７３】
また、各負荷側コネクタ１３は、電源側コネクタ１１との嵌合面に、電源用の２つの端子と接地用の１つの端子（Ｅ）とを有している。
【００７４】
電源側コネクタ１１に対する負荷側コネクタ１３の回転角度位置を、接続先の照明装置２００のグループに応じて相対的に変えることで、各負荷側コネクタ１３の電源用の２つの端子は、Ｒ，Ｓ相、Ｓ，Ｔ相又はＴ，Ｒ相の端子として機能する。
【００７５】
次に、図３で模式的に示したコネクタユニット１０の具体的な構成について説明する。
【００７６】
まず、図４の斜視図において外観のみ示されている電源側コネクタ１１は、雌端子（端子スリーブ）を有する雌コネクタで構成されている。
【００７７】
電源側コネクタ１１のコネクタハウジング１１ａは、嵌合ガイド部１１ｂを有している。嵌合ガイド部１１ｂは、断面正円の円筒状を呈しており、負荷側コネクタ１３に嵌合される先端に開口を有している。
【００７８】
嵌合ガイド部１１ｂの先端の外周面には、嵌合ガイド部１１ｂの中心（内側）側に凹んだ誤嵌合防止用のキー溝１１ｃ（請求項中の回転位置決め部材に相当）が形成されている。キー溝１１ｃは、嵌合ガイド部１１ｂの全周中の１箇所だけに、嵌合ガイド部１１ｂの先端から後端に向けて形成されている。
【００７９】
嵌合ガイド部１１ｂの内側には端子保持部１１ｄが設けられている。端子保持部１１ｄは、嵌合ガイド部１１ｂの後端側の半部で構成されている。
【００８０】
端子保持部１１ｄには４つの端子が保持される。４つの端子は、図５（ａ）の斜視図に示す給電用の３つの電源側端子１１ｒ，１１ｓ，１１ｔと１つの接地用端子１１ｅである。
【００８１】
各電源側端子１１ｒ，１１ｓ，１１ｔと接地用端子１１ｅとは共通の構造を有している。即ち、各電源側端子１１ｒ，１１ｓ，１１ｔ及び接地用端子１１ｅは、円筒体の外周面に形成した中間部のフランジ部１１ｆを挟んで、先端側を挿入筒部１１ｇとし、後端側を電線加締め部１１ｈとしている。挿入筒部１１ｇの先端には先割れの端子スリーブ１１ｉが接続されている。
【００８２】
各電源側端子１１ｒ，１１ｓ，１１ｔの電線加締め部１１ｈには、分岐ケーブル５の対応する相の各給電線５ｒ，５ｓ，５ｔの芯線が加締めて固定される。接地用端子１１ｅの電線加締め部１１ｈには、分岐ケーブル５の接地線５ｅの芯線が加締めて固定される。
【００８３】
図５（ｂ）の要部拡大断面図に示すように、端子保持部１１ｄには、端子保持部１１ｄを前後に貫通する端子孔１１ｊが４つ形成されている。そのうち１つの端子孔１１ｊは、端子保持部１１ｄの中心を貫通するように形成されている。残りの３つの端子孔１１ｊは、端子保持部１１ｄの中心の端子孔１１ｊを中心とする仮想の正円の円周上の、１２０゜ずつ位相をずらした箇所を貫通するように、それぞれ形成されている。
【００８４】
端子保持部１１ｄの中心の端子孔１１ｊには、電線加締め部１１ｈに接地線５ｅを加締めて固定した接地用端子１１ｅの挿入筒部１１ｇが、嵌合ガイド部１１ｂの後端にフランジ部１１ｆが当接するまで圧入される。端子保持部１１ｄの他の端子孔１１ｊにも、電線加締め部１１ｈに給電線５ｒ，５ｓ，５ｔをそれぞれ加締めて固定した各電源側端子１１ｒ，１１ｓ，１１ｔの挿入筒部１１ｇが、同様に圧入される。
【００８５】
各端子孔１１ｊに挿入筒部１１ｇが圧入された各電源側端子１１ｒ，１１ｓ，１１ｔ及び接地用端子１１ｅの端子スリーブ１１ｉの先端は、端子保持部１１ｄの先端面の端子孔１１ｊの開口部に配置される。
【００８６】
なお、各電源側端子１１ｒ，１１ｓ，１１ｔの端子スリーブ１１ｉの先端は、接地用端子１１ｅの端子スリーブ１１ｉの先端を中心とする回転対称位置に配置される。
【００８７】
端子保持部１１ｄの先端面にはガイド板１１ｋが取り付けられている。ガイド板１１ｋの、各端子孔１１ｊの開口部に対応する箇所には、端子孔１１ｊよりも小径のガイド孔１１ｌがそれぞれ形成されている。各ガイド孔１１ｌは、電源側コネクタ１１を負荷側コネクタ１３に嵌合した際に、負荷側コネクタ１３の端子を、各電源側端子１１ｒ，１１ｓ，１１ｔ及び接地用端子１１ｅの端子スリーブ１１ｉに案内する。
【００８８】
端子保持部１１ｄに取り付けたガイド板１１ｋは、嵌合ガイド部１１ｂの先端の開口に露出する。
【００８９】
次に、図４において内部が示されている負荷側コネクタ１３は、雄端子（端子ピン）を有する雄コネクタで構成されている。
【００９０】
負荷側コネクタ１３のコネクタハウジング１３ａは、嵌合ガイド部１３ｂを有している。嵌合ガイド部１３ｂは、断面正円の円筒状を呈しており、電源側コネクタ１１が嵌合される先端に開口を有している。
【００９１】
嵌合ガイド部１３ｂの先端の内周面には、嵌合ガイド部１３ｂの中心（内側）に向けて誤嵌合防止用のキー１３ｃ（請求項中のキー又はキー溝に相当）が突設されている。キー１３ｃは、嵌合ガイド部１３ｂの全周中の１箇所だけに、嵌合ガイド部１３ｂの先端から後端に向けて形成されている。キー１３ｃは、電源側コネクタ１１を負荷側コネクタ１３に嵌合する間、キー溝１１ｃに対して移動できるように構成されている。
【００９２】
嵌合ガイド部１３ｂの内側には端子保持部１３ｄが配置されている。端子保持部１３ｄは、円柱状を呈している。
【００９３】
端子保持部１３ｄには３つの端子が保持される。３つの端子は、図４に示す給電用の２つの負荷側端子１３ｆ，１３ｇと１つの接地用端子１３ｅである。
【００９４】
各負荷側端子１３ｆ，１３ｇと接地用端子１３ｅとは共通の構造を有している。即ち、各負荷側端子１３ｆ，１３ｇ及び接地用端子１３ｅは、図６（ａ）の斜視図に示すように、円筒体の挿入筒部１３ｈを有している。挿入筒部１３ｈの後端には電線加締め部１３ｉが連設されている、また、挿入筒部１３ｈの先端には、段差部１３ｊを介して端子ピン１３ｋが接続されている。
【００９５】
各負荷側端子１３ｆ，１３ｇの電線加締め部１３ｉには、接続ケーブル９の対応する相の各給電線９ａ，９ｂの芯線が加締めて固定される。接地用端子１３ｅの電線加締め部１３ｉには、接続ケーブル９の接地線９ｅの芯線が加締めて固定される。
【００９６】
図６（ｂ）の要部拡大斜視図に示すように、端子保持部１３ｄには、端子保持部１３ｄを前後に貫通する端子孔１３ｌが４つ形成されている。そのうち１つの端子孔１３ｌは、端子保持部１３ｄの中心を貫通するように形成されている。残りの２つの端子孔１３ｌは、端子保持部１３ｄの中心の端子孔１３ｌを中心とする仮想の正円の円周上の、１２０゜位相をずらした箇所を貫通するように、それぞれ形成されている。
【００９７】
なお、１つの端子孔１３ｌを中心とし２つの端子孔１３ｌを配置する仮想の正円の半径は、接地用端子１１ｅの端子孔１１ｊを中心とし３つの電源側端子１１ｒ，１１ｓ，１１ｔの端子孔１１ｊを配置する仮想の正円の半径と同じである。
【００９８】
端子保持部１３ｄの中心の端子孔１３ｌには、電線加締め部１３ｉに接地線９ｅを加締めて固定した接地用端子１３ｅの挿入筒部１３ｈが圧入される。端子保持部１３ｄの他の端子孔１３ｌにも、電線加締め部１３ｉに給電線９ａ，９ｂをそれぞれ加締めて固定した各負荷側端子１３ｆ，１３ｇの挿入筒部１３ｈが、同様に圧入される。
【００９９】
嵌合ガイド部１３ｂの先端の開口に露出する端子保持部１３ｄの先端面には、抑え板１３ｍが取り付けられている。抑え板１３ｍの、各端子孔１３ｌの開口部に対応する箇所には、貫通孔１３ｎがそれぞれ形成されている。
【０１００】
各貫通孔１３ｎは、端子保持部１３ｄの先端面側の大径部１３ｏと反対側の小径部１３ｐとをそれぞれ有している。大径部１３ｏは各負荷側端子１３ｆ，１３ｇ及び接地用端子１３ｅの挿入筒部１３ｈと同径を有している。小径部１３ｐは、各負荷側端子１３ｆ，１３ｇ及び接地用端子１３ｅの端子ピン１３ｋと同径を有している。
【０１０１】
端子保持部１３ｄの各端子孔１３ｌには、抑え板１３ｍの大径部１３ｏと小径部１３ｐとの段差部１３ｑに段差部１３ｊが係止されるまで、各負荷側端子１３ｆ，１３ｇ及び接地用端子１３ｅの挿入筒部１３ｈが圧入される。
【０１０２】
各端子孔１３ｌに挿入筒部１３ｈが圧入された各負荷側端子１３ｆ，１３ｇ及び接地用端子１３ｅの端子ピン１３ｋは、抑え板１３ｍの各端子孔１３ｌを貫通する。端子ピン１３ｋの先端は、図４に示すように、抑え板１３ｍから突出して嵌合ガイド部１３ｂの先端の開口に露出する。
【０１０３】
抑え板１３ｍから突出した各負荷側端子１３ｆ，１３ｇの端子ピン１３ｋは、接地用端子１３ｅの端子ピン１３ｋを中心とする回転対称位置に配置される。
【０１０４】
なお、図４では、各負荷側端子１３ｆ，１３ｇ及び接地用端子１３ｅ（の端子ピン１３ｋ）を簡略した形状で記している。
【０１０５】
図７（ａ）の断面図に示すように、端子保持部１３ｄの後端面１３ｒ寄りの外周面には、ガイド溝１３ｓを全周に有する円環状のフランジ部１３ｔが突設されている。ガイド溝１３ｓには、嵌合ガイド部１３ｂの内周面１３ｕに突設されたガイド突起１３ｖが係止されている。ガイド突起１３ｖとガイド溝１３ｓとの係止により、端子保持部１３ｄは嵌合ガイド部１３ｂと同心円上に位置するように、嵌合ガイド部１３ｂに回転可能に支持されている。
【０１０６】
端子保持部１３ｄの後端面１３ｒは、嵌合ガイド部１３ｂの後端に形成された円形の開口部１３ｗ（請求項中の露出窓に相当）に露出している。端子保持部１３ｄの後端面１３ｒの中心から内部には、接続ケーブル９が挿入されている。挿入された接続ケーブル９は、端子保持部１３ｄの内部でシースを除去されて、給電線９ａ，９ｂ及び接地線９ｅにバラされる。
【０１０７】
図７（ｂ）の背面図に示すように、端子保持部１３ｄの後端面１３ｒには、３つの位置合わせマーク１３ｘ，１３ｙ，１３ｚが刻印などによって形成されている。各位置合わせマーク１３ｘ，１３ｙ，１３ｚは、「ＲＳ」、「ＳＴ」、「ＴＲ」の文字と三角矢印の記号とをそれぞれ有している。各位置合わせマーク１３ｘ，１３ｙ，１３ｚの三角矢印の記号は、端子保持部１３ｄの後端面１３ｒの１２０゜ずつ位相をずらした外周縁箇所をそれぞれ指し示している。
【０１０８】
嵌合ガイド部１３ｂの後端には、位置合わせ突起１３αが突設されている。位置合わせ突起１３αは、嵌合ガイド部１３ｂの後端の開口部１３ｗの内周縁に近接して配置されている。
【０１０９】
端子保持部１３ｄの位置合わせマーク１３ｘの三角矢印が位置合わせ突起１３αを指示する角度位置に端子保持部１３ｄを回転させると、図３の上段に示すように、負荷側端子１３ｆが接地用端子１３ｅの上方に位置する。この状態で、キー１３ｃをキー溝１１ｃに挿入して電源側コネクタ１１を負荷側コネクタ１３に嵌合させると、各負荷側端子１３ｆ，１３ｇがＲ相及びＳ相の電源側端子１１ｒ，１１ｓと接続される。
【０１１０】
また、端子保持部１３ｄの位置合わせマーク１３ｙの三角矢印が位置合わせ突起１３αを指示する角度位置に端子保持部１３ｄを回転させると、各負荷側端子１３ｆ，１３ｇが図３の中段に示す位置に配置される。この状態で、キー１３ｃをキー溝１１ｃに挿入して電源側コネクタ１１を負荷側コネクタ１３に嵌合させると、各負荷側端子１３ｆ，１３ｇがＳ相及びＴ相の電源側端子１１ｓ，１１ｔと接続される。
【０１１１】
さらに、端子保持部１３ｄの位置合わせマーク１３ｚの三角矢印が位置合わせ突起１３αを指示する角度位置に端子保持部１３ｄを回転させると、各負荷側端子１３ｆ，１３ｇが図３の下段に示す位置に配置される。この状態で、キー１３ｃをキー溝１１ｃに挿入して電源側コネクタ１１を負荷側コネクタ１３に嵌合させると、各負荷側端子１３ｆ，１３ｇがＴ相及びＲ相の電源側端子１１ｔ，１１ｒと接続される。
【０１１２】
なお、負荷側コネクタ１３の接地用端子１３ｅは、電源側コネクタ１１を負荷側コネクタ１３に嵌合させると、端子保持部１３ｄの回転角度位置に関係なく、電源側コネクタ１１の接地用端子１１ｅと接続される。
【０１１３】
以上の説明からも明らかなように、本実施形態では、端子保持部１３ｄの位置合わせマーク１３ｘ，１３ｙ，１３ｚと嵌合ガイド部１３ｂの位置合わせ突起１３αとで、請求項中の表示部１３βが構成されている。
【０１１４】
このように、本実施形態のコネクタユニット１０では、負荷側コネクタ１３の端子保持部１３ｄの嵌合ガイド部１３ｂに対する回転角度位置を変えると、電源側コネクタ１１の嵌合時に接続される両コネクタ１１，１３の端子のパターンが変わる。
【０１１５】
即ち、負荷側コネクタ１３の端子保持部１３ｄの回転角度位置によって、電源側コネクタ１１の３つの電源側端子１１ｒ，１１ｓ，１１ｔのうち、負荷側コネクタ１３の負荷側端子１３ｆ，１３ｇに接続される２つの内訳が変わる。そして、電源側コネクタ１１から負荷側コネクタ１３に供給される電力の相が、ＲＳ相のみ、ＳＴ相のみ、ＴＲ相のみの３パターンに分かれる。
【０１１６】
このため、照明装置２００に供給する電力の相が異っても、嵌合ガイド部１３ｂに対する端子保持部１３ｄの回転角度位置を変えるだけで、共通の負荷側コネクタ１３を用いることができる。また、負荷側コネクタ１３に接続する接続ケーブル９も共通の構造とすることができる。
【０１１７】
したがって、供給する電力の相が異なる照明装置２００のグループ毎に、構造が異なる接続ケーブル９及び負荷側コネクタ１３を準備する必要がない。
【０１１８】
つまり、複数の照明装置２００を３つのグループに分けて、各グループの照明装置２００に三相交流電源の各相の電力を一部の相に偏ることなく分配する際に、同じ構造の接続ケーブル９及び負荷側コネクタ１３を用いることができる。
【０１１９】
このため、照明装置２００の交換による仕様変更で照明装置２００に供給する電力の相を変える必要が生じても、端子保持部１３ｄの回転角度位置を変える簡便な作業で、照明装置２００の仕様変更に対応することができる。
【０１２０】
なお、電源側コネクタ１１を負荷側コネクタ１３に嵌合した状態での両コネクタ１１，１３の端子が接続される部分の水密性及び気密性を高めるためる構成を追加することもできる。その場合は、図８の斜視図に示すように、電源側コネクタ１１の嵌合ガイド部１１ｂの外周面に受けフランジ部１１ｍを突設する。
【０１２１】
受けフランジ部１１ｍは、図９の断面図に示すように、嵌合ガイド部１１ｂの先端側に開口した円環状の凹部１１ｎ（請求項中の相手側コネクタとコネクタの端子保持部とが当接する箇所に相当）を有している。凹部１１ｎの底面にはシール部材１１ｏが取り付けられている。
【０１２２】
また、負荷側コネクタ１３の、嵌合ガイド部１３ｂの内周面１３ｕ及び開口部１３ｗの段差部１３δ（請求項中の嵌合ガイド部の端子保持部を回転可能に支持する部分に相当）と、端子保持部１３ｄのフランジ部１３ｔとの間にも、シール部材１３εを介設する。
【０１２３】
このように構成すれば、電源側コネクタ１１を負荷側コネクタ１３に嵌合した際に、負荷側コネクタ１３の嵌合ガイド部１３ｂの先端が電源側コネクタ１１の受けフランジ部１１ｍの凹部１１ｎに挿入されて、シール部材１１ｏに圧接される。このため、負荷側コネクタ１３の嵌合ガイド部１３ｂの先端側において、端子保持部１３ｄがシール部材１１ｏによってシールされる。
【０１２４】
また、電源側コネクタ１１を負荷側コネクタ１３に嵌合すると、電源側コネクタ１１の嵌合ガイド部１１ｂの先端が負荷側コネクタ１３の端子保持部１３ｄのフランジ部１３ｔに当接し、フランジ部１３ｔを嵌合ガイド部１３ｂの後端側に押圧する。このため、押圧されたフランジ部１３ｔが、嵌合ガイド部１３ｂの内周面１３ｕ及び開口部１３ｗの段差部１３δとの間に介設されたシール部材１３εに圧接される。よって、負荷側コネクタ１３の嵌合ガイド部１３ｂの後端側においても、端子保持部１３ｄがシール部材１３εによってシールされる。
【０１２５】
このように、負荷側コネクタ１３の嵌合ガイド部１３ｂの先端側と後端側とで端子保持部１３ｄをシールすることで、電源側コネクタ１１を負荷側コネクタ１３に嵌合した状態での両コネクタ１１，１３の端子接続部分の水密性及び気密性を高めることができる。その結果、水分や塵埃等の進入により両コネクタ１１，１３の端子間に接続不良が生じるのを抑制し、コネクタユニット１０の信頼性を高めることができる。
【０１２６】
なお、上述した実施形態では、負荷側コネクタ１３の端子保持部１３ｄの嵌合ガイド部１３ｂに対する回転角度位置を変えると、電源側コネクタ１１の嵌合時に接続される両コネクタ１１，１３の端子のパターンが変わる構成とした。
【０１２７】
しかし、電源側コネクタ１１の端子保持部１１ｄを嵌合ガイド部１１ｂに対して回転可能に構成してもよい。その場合は、上述した実施形態における負荷側コネクタ１３の構造を電源側コネクタ１１に適用する。
【０１２８】
具体的には、端子保持部１１ｄの回転中心軸に沿って端子保持部１１ｄを貫通する端子孔に、３つの電源側端子１１ｒ，１１ｓ，１１ｔと接地用端子１１ｅとを圧入する。そして、端子保持部１１ｄの回転中心上に配置した接地用端子１１ｅを中心とする仮想の正円の円周上に、３つの電源側端子１１ｒ，１１ｓ，１１ｔを１２０゜ずつ位相をずらして配置する。
【０１２９】
このように、電源側コネクタ１１の端子保持部１１ｄを嵌合ガイド部１１ｂに対して回転可能に構成した場合でも、電源側コネクタ１１の嵌合時に接続される両コネクタ１１，１３の端子のパターンが変わる構成を実現することができる。
【０１３０】
さらに、上述した実施形態では、電源側コネクタ１１の嵌合ガイド部１１ｂにキー溝１１ｃを形成し、負荷側コネクタ１３の嵌合ガイド部１３ｂにキー１３ｃを設けた。しかし、キー及びキー溝を電源側コネクタ１１及び負荷側コネクタ１３のどちらに設けるかは任意である。
【０１３１】
また、上述した実施形態では、電源側コネクタ１１を、雌端子（端子スリーブ１１ｉ）を有する雌コネクタで構成した。しかし、端子との接触防止を図る等して、電源側コネクタ１１を、雄端子（端子ピン）を有する雄コネクタで構成してもよい。また、これに合わせて、負荷側コネクタ１３を雌コネクタで構成してもよい。
【０１３２】
さらに、上述した実施形態では、トンネル１００内の複数の照明装置２００に異なる相の電力を供給する場合を例に取って説明した。しかし、本発明は、設備に延設された送電ケーブルから設備に複数設置された負荷の接続ケーブルに対して、三相交流電源の電力のうち２相の電力を異なる組み合わせでそれぞれ供給する場合に、広く適用可能である。
【産業上の利用可能性】
【０１３３】
本発明は、三相交流電源の電力を複数の負荷に分配する電源ケーブルユニットやコネクタユニットに適用して極めて有用である。
【符号の説明】
【０１３４】
１  電源ケーブルユニット
３  幹線ケーブル（送電ケーブル）
３ｅ  幹線ケーブル接地線
３ｒ，３ｓ，３ｔ  給電線
５  分岐ケーブル（送電ケーブル）
５ｅ  分岐ケーブル接地線
５ｒ，５ｓ，５ｔ  給電線
７  分岐部
９  接続ケーブル
９ａ，９ｂ  給電線
９ｅ  接続ケーブル接地線
１０  コネクタユニット
１１  電源側コネクタ
１１ａ  電源側コネクタのコネクタハウジング
１１ｂ  電源側コネクタの嵌合ガイド部
１１ｃ  キー溝
１１ｄ  電源側コネクタの端子保持部
１１ｅ  電源側コネクタの接地用端子
１１ｆ  端子のフランジ部
１１ｇ  挿入筒部
１１ｈ  電線加締め部
１１ｉ  端子スリーブ
１１ｊ  端子孔
１１ｋ  ガイド板（電源側コネクタの嵌合ガイド部の先端面）
１１ｌ  ガイド孔
１１ｍ  受けフランジ部
１１ｎ  凹部（相手側コネクタとコネクタの端子保持部とが当接する箇所）
１１ｏ  シール部材
１１ｒ，１１ｓ，１１ｔ  電源側端子
１３  負荷側コネクタ
１３ａ  負荷側コネクタのコネクタハウジング
１３ｂ  負荷側コネクタの嵌合ガイド部
１３ｃ  キー
１３ｄ  負荷側コネクタの端子保持部
１３ｅ  負荷側コネクタの接地用端子
１３ｆ，１３ｇ  負荷側端子
１３ｈ  挿入筒部
１３ｉ  電線加締め部
１３ｊ  端子の段差部
１３ｋ  端子ピン
１３ｌ  端子孔
１３ｍ  抑え板（負荷側コネクタの嵌合ガイド部の先端面）
１３ｎ  貫通孔
１３ｏ  貫通孔の大径部
１３ｐ  貫通孔の小径部
１３ｑ  貫通孔の段差部
１３ｒ  端子保持部の後端面
１３ｓ  ガイド溝
１３ｔ  端子保持部のフランジ部
１３ｕ  嵌合ガイド部の内周面（嵌合ガイド部の端子保持部を回転可能に支持する部分）
１３ｖ  嵌合ガイド部のガイド突起
１３ｗ  嵌合ガイド部後端の開口部（露出窓）
１３ｘ  ＲＳ相の位置合わせマーク
１３ｙ  ＳＴ相の位置合わせマーク
１３ｚ  ＴＲ相の位置合わせマーク
１３α  位置合わせ突起
１３β  表示部
１３δ  段差部（嵌合ガイド部の端子保持部を回転可能に支持する部分）
１３ε  シール部材
１００  トンネル（設備）
２００  照明装置（負荷）
【図１】
2020064774.tif 000003
【図２】
2020064774.tif 000004
【図３】
2020064774.tif 000005
【図４】
2020064774.tif 000006
【図５】
2020064774.tif 000007
【図６】
2020064774.tif 000008
【図７】
2020064774.tif 000009
【図８】
2020064774.tif 000010
【図９】
2020064774.tif 000011
【図１０】
2020064774.tif 000012